【手続補正書】
【提出日】平成19年5月7日(2007.5.7)
【手続補正１】
【補正対象書類名】特許請求の範囲
【補正対象項目名】全文
【補正方法】変更
【補正の内容】
【特許請求の範囲】
【請求項１】
（ａ）通信信号を受信し、増幅制御信号によって制御される増幅器と、
（ｂ）前記増幅器が動作可能にされるか、または動作不能にされると、前記増幅制御信号に応答して、前記通信信号に断続的に導入される位相オフセットの影響を打ち消す挿入位相変動補償モジュールであって、前記通信信号は、前記増幅器が動作可能にされると、前記増幅器によって増幅され、前記通信信号は、前記増幅器が動作不能にされると、前記増幅器によって増幅されない挿入位相変動補償モジュールと、
（ｃ）前記増幅制御信号を生成するプロセッサと、
（ｄ）前記プロセッサおよび前記挿入位相変動補償モジュールと通信するルックアップテーブル（ＬＵＴ）であって、前記プロセッサから前記増幅制御信号を受信し、前記位相オフセットの推定値を、前記増幅制御信号の関数として、前記挿入位相変動補償モジュールに与え、前記与えられる推定値は、前記位相オフセットｘのＳｉｎ関数およびＣｏｓ関数を含み、前記挿入位相変動補償モジュールは、デジタル同相（Ｉ）信号成分に関連づけられた、実、すなわちＲｅ入力、および直交（Ｑ）信号成分に関連づけられた、仮想、すなわちＩｍ入力を有し、前記ＬＵＴによって与えられる前記推定値に基づいて、前記挿入位相変動補償モジュールは、関数：（Ｃｏｓ（ｘ）×Ｒｅ）−（Ｓｉｎ（ｘ）×Ｉｍ）に従って調整される位相を有するＩ信号成分を出力するＬＵＴと
を具えたことを特徴とする通信システム。
【請求項２】
（ｅ）前記増幅器から前記通信信号を受信し、アナログ同相（Ｉ）および直交（Ｑ）信号成分を出力する受信機と、
（ｆ）前記受信機から前記アナログＩおよびＱ信号成分を受信し、前記アナログ信号成分をデジタルＩおよびＱ信号成分に変換するアナログ−デジタルコンバータ（ＡＤＣ）と
をさらに具えたことを特徴とする請求項１記載の通信システム。
【請求項３】
前記挿入位相変動補償モジュールは、前記ＡＤＣから前記デジタルＩおよびＱ信号成分を受信し、前記デジタルＩおよびＱ成分とは異なる位相特性を有する改変ＩおよびＱ信号成分を出力し、前記通信システムは、
（ｇ）前記改変ＩおよびＱ信号成分を受信するモデムであって、増幅制御信号を生成するプロセッサを含むモデムをさらに具えたことを特徴とする請求項２記載の通信システム。
【請求項４】
前記プロセッサは、前記ＡＤＣにどの程度の電力が入力されるかを計算することを特徴とする請求項３記載の通信システム。
【請求項５】
前記挿入位相変動補償モジュールは、前記ＡＤＣから前記デジタルＩおよびＱ成分を受信し、前記デジタルＩおよびＱ成分の前記位相特性を、増幅制御信号の関数として変化させることを特徴とする請求項２記載の通信システム。
【請求項６】
（ａ）通信信号を受信し、増幅制御信号によって制御される増幅器と、
（ｂ）前記増幅器が動作可能にされるか、または動作不能にされると、前記増幅制御信号に応答して、前記通信信号に断続的に導入される位相オフセットの影響を打ち消す挿入位相変動補償モジュールであって、前記通信信号は、前記増幅器が動作可能にされると、前記増幅器によって増幅され、前記通信信号は、前記増幅器が動作不能にされると、前記増幅器によって増幅されない挿入位相変動補償モジュールと、
（ｃ）前記増幅制御信号を生成するプロセッサと、
（ｄ）前記プロセッサおよび前記挿入位相変動補償モジュールと通信するルックアップテーブル（ＬＵＴ）であって、前記プロセッサから前記増幅制御信号を受信し、前記位相オフセットの推定値を、前記増幅制御信号の関数として、前記挿入位相変動補償モジュールに与え、前記与えられる推定値は、前記位相オフセットｘのＳｉｎ関数およびＣｏｓ関数を含み、前記挿入位相変動補償モジュールは、デジタル同相（Ｉ）信号成分に関連づけられた実入力Ｒｅ、および直交（Ｑ）信号成分に関連づけられた仮想入力Ｉｍを有し、前記ＬＵＴによって与えられる前記推定値に基づいて、前記挿入位相変動補償モジュールは、関数：（Ｓｉｎ（ｘ）×Ｒｅ）＋（Ｃｏｓ（ｘ）×Ｉｍ）に従って調整される位相を有するＱ信号成分を出力するＬＵＴと
を具えたことを特徴とする通信システム。
【請求項７】
前記通信信号は、保護期間で分離される第１および第２のタイムスロットを含み、増幅制御信号は、前記第１のタイムスロット中のデータが前記増幅器によって受信され、処理された後の前記保護期間中に、前記増幅器に与えられることを特徴とする請求項６記載の通信システム。
【請求項８】
前記通信信号は、保護期間で分離される第１および第２のタイムスロットを含み、前記増幅器は、前記第１のタイムスロット中のデータが前記増幅器によって受信され、処理された後の前記保護期間中に、動作可能にされるか、または動作不能にされることを特徴とする請求項６記載の通信システム。
【請求項９】
前記第１のタイムスロット中のデータは、前記増幅器が動作不能にされると前記増幅器によって受信され、前記第２のタイムスロット中のデータは、前記増幅器が動作可能にされると、前記増幅器によって受信されることを特徴とする請求項８記載の通信システム。
【請求項１０】
前記第１のタイムスロット中のデータは、前記増幅器が動作可能にされると前記増幅器によって受信され、前記第２のタイムスロット中のデータは、前記増幅器が動作不能にされると、前記増幅器によって受信されることを特徴とする請求項８記載の通信システム。
【請求項１１】
前記通信信号は、保護期間で分離される第１および第２のタイムスロットを含み、前記位相オフセットの前記推定値は、前記第１のタイムスロット中のデータが前記増幅器によって受信され、処理された後の前記保護期間中に、前記挿入位相変動補償モジュールに与えられることを特徴とする請求項６記載の通信システム。
【請求項１２】
前記通信信号は、保護期間で分離される第１および第２のタイムスロットを含み、前記挿入位相変動補償モジュールは、前記第１のタイムスロット中のデータが前記増幅器によって受信され、処理された後の前記保護期間中に、前記与えられる推定値に基づいて、前記通信信号の前記位相を調整することを特徴とする請求項６記載の通信システム。
【請求項１３】
（ａ）通信信号を受信し、増幅制御信号によって制御される増幅器と、
（ｂ）前記増幅器が動作可能にされるか、または動作不能にされると、前記増幅制御信号に応答して、前記通信信号に断続的に導入される位相オフセットの影響を打ち消す挿入位相変動補償モジュールであって、前記通信信号は、前記増幅器が動作可能にされると、前記増幅器によって増幅され、前記通信信号は、前記増幅器が動作不能にされると、前記増幅器によって増幅されない挿入位相変動補償モジュールと、
（ｃ）前記増幅制御信号を生成するプロセッサと、
（ｄ）前記プロセッサおよび前記挿入位相変動補償モジュールと通信するルックアップテーブル（ＬＵＴ）であって、前記プロセッサから前記増幅制御信号を受信し、前記位相オフセットの推定値を、前記増幅制御信号の関数として、前記挿入位相変動補償モジュールに与え、前記与えられる推定値は、前記位相オフセットｘのＳｉｎ関数およびＣｏｓ関数を含み、前記挿入位相変動補償モジュールは、デジタル同相（Ｉ）信号成分に関連づけられた、実、すなわちＲｅ入力、および直交（Ｑ）信号成分に関連づけられた、仮想、すなわちＩｍ入力を有し、前記ＬＵＴによって与えられる前記推定値に基づいて、前記挿入位相変動補償モジュールは、関数：（Ｃｏｓ（ｘ）×Ｒｅ）−（Ｓｉｎ（ｘ）×Ｉｍ）に従って調整される位相を有するＩ信号成分を出力するＬＵＴと
を具えたことを特徴とするワイヤレス送受信ユニット（ＷＴＲＵ）。
【請求項１４】
（ｅ）前記増幅器から前記通信信号を受信し、アナログ同相（Ｉ）および直交（Ｑ）信号成分を出力する受信機と、
（ｆ）前記受信機から前記アナログＩおよびＱ信号成分を受信し、前記アナログ信号成分をデジタルＩおよびＱ信号成分に変換するアナログ−デジタルコンバータ（ＡＤＣ）と
をさらに具えたことを特徴とする請求項１３記載のワイヤレス送受信ユニット（ＷＴＲＵ）。
【請求項１５】
前記挿入位相変動補償モジュールは、前記ＡＤＣから前記デジタルＩおよびＱ信号成分を受信し、前記デジタルＩおよびＱ成分とは異なる位相特性を有する改変ＩおよびＱ信号成分を出力し、前記ＷＴＲＵは、
（ｇ）前記改変ＩおよびＱ信号成分を受信するモデムであって、増幅制御信号を生成するプロセッサを含むモデムをさらに具えたことを特徴とする請求項１４記載のワイヤレス送受信ユニット（ＷＴＲＵ）。
【請求項１６】
前記プロセッサは、前記ＡＤＣにどの程度の電力が入力されるかを計算することを特徴とする請求項１５記載のワイヤレス送受信ユニット（ＷＴＲＵ）。
【請求項１７】
前記挿入位相変動補償モジュールは、前記ＡＤＣから前記デジタルＩおよびＱ成分を受信し、前記デジタルＩおよびＱ成分の前記位相特性を、増幅制御信号の関数として変化させることを特徴とする請求項１４記載のワイヤレス送受信ユニット（ＷＴＲＵ）。
【請求項１８】
（ａ）通信信号を受信し、増幅制御信号によって制御される増幅器と、
（ｂ）前記増幅器が動作可能にされるか、または動作不能にされると、前記増幅制御信号に応答して、前記通信信号に断続的に導入される位相オフセットの影響を打ち消す挿入位相変動補償モジュールであって、前記通信信号は、前記増幅器が動作可能にされると、前記増幅器によって増幅され、前記通信信号は、前記増幅器が動作不能にされると、前記増幅器によって増幅されない挿入位相変動補償モジュールと、
（ｃ）前記増幅制御信号を生成するプロセッサと、
（ｄ）前記プロセッサおよび前記挿入位相変動補償モジュールと通信するルックアップテーブル（ＬＵＴ）であって、前記プロセッサから前記増幅制御信号を受信し、前記位相オフセットの推定値を、前記増幅制御信号の関数として、前記挿入位相変動補償モジュールに与え、前記与えられる推定値は、前記位相オフセットｘのＳｉｎ関数およびＣｏｓ関数を含み、前記挿入位相変動補償モジュールは、デジタル同相（Ｉ）信号成分に関連づけられた実入力Ｒｅ、および直交（Ｑ）信号成分に関連づけられた仮想入力Ｉｍを有し、前記ＬＵＴによって与えられる前記推定値に基づいて、前記挿入位相変動補償モジュールは、関数：（Ｓｉｎ（ｘ）×Ｒｅ）＋（Ｃｏｓ（ｘ）×Ｉｍ）に従って調整される位相を有するＱ信号成分を出力するＬＵＴと
を具えたことを特徴とするワイヤレス送受信ユニット（ＷＴＲＵ）。
【請求項１９】
前記通信信号は、保護期間で分離される第１および第２のタイムスロットを含み、増幅制御信号は、前記第１のタイムスロット中のデータが前記増幅器によって受信され、処理された後の前記保護期間中に、前記増幅器に与えられることを特徴とする請求項１８記載のワイヤレス送受信ユニット（ＷＴＲＵ）。
【請求項２０】
前記第１のタイムスロット中のデータは、前記増幅器が動作不能にされると前記増幅器によって受信され、前記第２のタイムスロット中のデータは、前記増幅器が動作可能にされると、前記増幅器によって受信されることを特徴とする請求項１８記載のワイヤレス送受信ユニット（ＷＴＲＵ）。
【請求項２１】
前記第１のタイムスロット中のデータは、前記増幅器が動作可能にされると前記増幅器によって受信され、前記第２のタイムスロット中のデータは、前記増幅器が動作不能にされると、前記増幅器によって受信されることを特徴とする請求項１８記載のワイヤレス送受信ユニット（ＷＴＲＵ）。
【請求項２２】
前記通信信号は、保護期間で分離される第１および第２のタイムスロットを含み、前記増幅器は、前記第１のタイムスロット中のデータが前記増幅器によって受信され、処理された後の前記保護期間中に、動作可能にされるか、または動作不能にされることを特徴とする請求項１８記載のワイヤレス送受信ユニット（ＷＴＲＵ）。
【請求項２３】
前記通信信号は、保護期間で分離される第１および第２のタイムスロットを含み、前記位相オフセットの前記推定値は、前記第１のタイムスロット中のデータが前記増幅器によって受信され、処理された後の前記保護期間中に、前記挿入位相変動補償モジュールに与えられることを特徴とする請求項１８記載のワイヤレス送受信ユニット（ＷＴＲＵ）。
【請求項２４】
前記通信信号は、保護期間で分離される第１および第２のタイムスロットを含み、前記挿入位相変動補償モジュールは、前記第１のタイムスロット中のデータが前記増幅器によって受信され、処理された後の前記保護期間中に、前記与えられる推定値に基づいて、前記通信信号の前記位相を調整することを特徴とする請求項１８記載のワイヤレス送受信ユニット（ＷＴＲＵ）。
【請求項２５】
（ａ）通信信号を受信し、増幅制御信号によって制御される増幅器と、
（ｂ）前記増幅器が動作可能にされるか、または動作不能にされると、前記増幅制御信号に応答して、前記通信信号に断続的に導入される位相オフセットの影響を打ち消す挿入位相変動補償モジュールであって、前記通信信号は、前記増幅器が動作可能にされると、前記増幅器によって増幅され、前記通信信号は、前記増幅器が動作不能にされると、前記増幅器によって増幅されない挿入位相変動補償モジュールと、
（ｃ）前記増幅制御信号を生成するプロセッサと、
（ｄ）前記プロセッサおよび前記挿入位相変動補償モジュールと通信するルックアップテーブル（ＬＵＴ）であって、前記プロセッサから前記増幅制御信号を受信し、前記位相オフセットの推定値を、前記増幅制御信号の関数として、前記挿入位相変動補償モジュールに与え、前記与えられる推定値は、前記位相オフセットｘのＳｉｎ関数およびＣｏｓ関数を含み、前記挿入位相変動補償モジュールは、デジタル同相（Ｉ）信号成分に関連づけられた、実、すなわちＲｅ入力、および直交（Ｑ）信号成分に関連づけられた、仮想、すなわちＩｍ入力を有し、前記ＬＵＴによって与えられる前記推定値に基づいて、前記挿入位相変動補償モジュールは、関数：（Ｃｏｓ（ｘ）×Ｒｅ）−（Ｓｉｎ（ｘ）×Ｉｍ）に従って調整される位相を有するＩ信号成分を出力するＬＵＴと
を具えたことを特徴とする集積回路（ＩＣ）。
【請求項２６】
（ｅ）前記増幅器から前記通信信号を受信し、アナログ同相（Ｉ）および直交（Ｑ）信号成分を出力する受信機と、
（ｆ）前記受信機から前記アナログＩおよびＱ信号成分を受信し、前記アナログ信号成分をデジタルＩおよびＱ信号成分に変換するアナログ−デジタルコンバータ（ＡＤＣ）と
をさらに具えたことを特徴とする請求項２５記載の集積回路（ＩＣ）。
【請求項２７】
前記挿入位相変動補償モジュールは、前記ＡＤＣから前記デジタルＩおよびＱ信号成分を受信し、前記デジタルＩおよびＱ成分とは異なる位相特性を有する改変ＩおよびＱ信号成分を出力し、前記ＩＣは、
（ｇ）前記改変ＩおよびＱ信号成分を受信するモデムであって、増幅制御信号を生成するプロセッサを含むモデムをさらに備えることを特徴とする請求項２６記載の集積回路（ＩＣ）。
【請求項２８】
前記プロセッサは、前記ＡＤＣにどの程度の電力が入力されるかを計算することを特徴とする請求項２７記載の集積回路（ＩＣ）。
【請求項２９】
前記挿入位相変動補償モジュールは、前記ＡＤＣから前記デジタルＩおよびＱ成分を受信し、前記デジタルＩおよびＱ成分の前記位相特性を、増幅制御信号の関数として変化させることを特徴とする請求項２６記載の集積回路（ＩＣ）。
【請求項３０】
（ａ）通信信号を受信し、増幅制御信号によって制御される増幅器と、
（ｂ）前記増幅器が動作可能にされるか、または動作不能にされると、前記増幅制御信号に応答して、前記通信信号に断続的に導入される位相オフセットの影響を打ち消す挿入位相変動補償モジュールであって、前記通信信号は、前記増幅器が動作可能にされると、前記増幅器によって増幅され、前記通信信号は、前記増幅器が動作不能にされると、前記増幅器によって増幅されない挿入位相変動補償モジュールと、
（ｃ）前記増幅制御信号を生成するプロセッサと、
（ｄ）前記プロセッサおよび前記挿入位相変動補償モジュールと通信するルックアップテーブル（ＬＵＴ）であって、前記プロセッサから前記増幅制御信号を受信し、前記位相オフセットの推定値を、前記増幅制御信号の関数として、前記挿入位相変動補償モジュールに与え、前記与えられる推定値は、位相オフセットｘのＳｉｎ関数およびＣｏｓ関数を含み、前記挿入位相変動補償モジュールは、デジタル同相（Ｉ）信号成分に関連づけられた実入力Ｒｅ、および直交（Ｑ）信号成分に関連づけられた仮想入力Ｉｍを有し、前記ＬＵＴによって与えられる前記推定値に基づいて、前記挿入位相変動補償モジュールは、関数：（Ｓｉｎ（ｘ）×Ｒｅ）＋（Ｃｏｓ（ｘ）×Ｉｍ）に従って調整される位相を有するＩ信号成分を出力するＬＵＴと
を具えたことを特徴とする集積回路（ＩＣ）。
【請求項３１】
前記通信信号は、保護期間で分離される第１および第２のタイムスロットを含み、増幅制御信号は、前記第１のタイムスロット中のデータが前記増幅器によって受信され、処理された後の前記保護期間中に、前記増幅器に与えられることを特徴とする請求項３０記載の集積回路（ＩＣ）。
【請求項３２】
前記第１のタイムスロット中のデータは、前記増幅器が動作不能にされると前記増幅器によって受信され、前記第２のタイムスロット中のデータは、前記増幅器が動作可能にされると、前記増幅器によって受信されることを特徴とする請求項３０記載の集積回路（ＩＣ）。
【請求項３３】
前記第１のタイムスロット中のデータは、前記増幅器が動作可能にされると前記増幅器によって受信され、前記第２のタイムスロット中のデータは、前記増幅器が動作不能にされると、前記増幅器によって受信されることを特徴とする請求項３０記載の集積回路（ＩＣ）。
【請求項３４】
前記通信信号は、保護期間で分離される第１および第２のタイムスロットを含み、前記増幅器は、前記第１のタイムスロット中のデータが前記増幅器によって受信され、処理された後の前記保護期間中に、動作可能にされるか、または動作不能にされることを特徴とする請求項３０記載の集積回路（ＩＣ）。
【請求項３５】
前記通信信号は、保護期間で分離される第１および第２のタイムスロットを含み、前記位相オフセットの前記推定値は、前記第１のタイムスロット中のデータが前記増幅器によって受信され、処理された後の前記保護期間中に、前記挿入位相変動補償モジュールに与えられることを特徴とする請求項３０記載の集積回路（ＩＣ）。
【請求項３６】
前記通信信号は、保護期間で分離される第１および第２のタイムスロットを含み、前記挿入位相変動補償モジュールは、前記第１のタイムスロット中のデータが前記増幅器によって受信され、処理された後の前記保護期間中に、前記与えられる推定値に基づいて、前記通信信号の前記位相を調整することを特徴とする請求項３０記載の集積回路（ＩＣ）。
【請求項３７】
増幅器および挿入位相変動補償モジュールを含む通信システムにおいて、前記増幅器が動作可能にされると通信信号に断続的に導入される位相オフセットの影響を打ち消す方法であって、
（ａ）前記増幅器が動作不能にされると、前記増幅器に増幅制御信号を提供するステップと、
（ｂ）前記増幅制御信号に応答して、前記増幅器を動作可能にして、前記通信信号に位相オフセットを導入させるステップと、
（ｃ）前記挿入位相変動補償モジュールに、前記増幅制御信号の関数として前記位相オフセットの推定値を与えるステップと、
（ｄ）前記挿入位相変動補償モジュールが、前記与えられる推定値に基づいて、前記通信信号の前記位相を調整することであって、前記与えられる推定値は、位相オフセットｘのＳｉｎ関数およびＣｏｓ関数を含み、前記挿入位相変動補償モジュールは、デジタル同相（Ｉ）信号成分に関連づけられた、実、すなわちＲｅ入力、および直交（Ｑ）信号成分に関連づけられた、仮想、すなわちＩｍ入力を有し、前記与えられる推定値に基づいて、前記挿入位相変動補償モジュールは、関数：（Ｃｏｓ（ｘ）×Ｒｅ）−（Ｓｉｎ（ｘ）×Ｉｍ）に従って調整される位相を有するＩ信号成分を出力するステップと
を具えたことを特徴とする方法。
【請求項３８】
増幅器および挿入位相変動補償モジュールを含む通信システムにおいて、前記増幅器が動作可能にされると通信信号に断続的に導入される位相オフセットの影響を打ち消す方法であって、
（ａ）前記増幅器が動作不能にされると、前記増幅器に増幅制御信号を提供するステップと、
（ｂ）前記増幅制御信号に応答して、前記増幅器を動作可能にし、そうすることによって、前記通信信号に位相オフセットを導入させるステップと、
（ｃ）前記挿入位相変動補償モジュールに、前記増幅制御信号の関数として前記位相オフセットの推定値を与えるステップと、
（ｄ）前記挿入位相変動補償モジュールが、前記与えられる推定値に基づいて、前記通信信号の前記位相を調整することであって、前記与えられる推定値は、前記位相オフセットｘのＳｉｎ関数およびＣｏｓ関数を含み、前記挿入位相変動補償モジュールは、デジタル同相（Ｉ）信号成分に関連づけられた実入力Ｒｅ、および直交（Ｑ）信号成分に関連づけられた仮想入力Ｉｍを有し、前記与えられる推定値に基づいて、前記挿入位相変動補償モジュールは、関数：（Ｓｉｎ（ｘ）×Ｒｅ）＋（Ｃｏｓ（ｘ）×Ｉｍ）に従って調整される位相を有するＱ信号成分を出力するステップと
を具えたことを特徴とする方法。
【請求項３９】
前記通信信号は、保護期間で分離される第１および第２のタイムスロットを含み、ステップ（ａ）〜（ｄ）の少なくとも１つが、前記第１のタイムスロット中のデータが前記増幅器によって受信され、処理された後の前記保護期間中に実行されることを特徴とする請求項３７記載の方法。
【請求項４０】
前記通信信号は、保護期間で分離される第１および第２のタイムスロットを含み、そうすることによって、前記増幅器が動作不能にされると、前記第１のタイムスロット中のデータが前記増幅器によって受信され、前記増幅器が動作可能にされると、前記第２のタイムスロット中のデータが、前記増幅器によって受信されることを特徴とする請求項３７記載の方法。
【請求項４１】
増幅器および挿入位相変動補償モジュールを含む通信システムにおいて、前記増幅器が動作不能にされると通信信号に断続的に導入される位相オフセットの影響を打ち消す方法であって、
（ａ）前記増幅器が動作可能にされると、前記増幅器に増幅制御信号を提供するステップと、
（ｂ）前記増幅制御信号に応答して、前記増幅器を動作不能にし、そうすることによって、前記通信信号に位相オフセットを導入させるステップと、
（ｃ）前記挿入位相変動補償モジュールに、前記増幅制御信号の関数として前記位相オフセットの推定値を与えるステップと、
（ｄ）前記挿入位相変動補償モジュールが、前記与えられる推定値に基づいて、前記通信信号の前記位相を調整することであって、前記与えられる推定値は、位相オフセットｘのＳｉｎ関数およびＣｏｓ関数を含み、前記挿入位相変動補償モジュールは、デジタル同相（Ｉ）信号成分に関連づけられた、実、すなわちＲｅ入力、および直交（Ｑ）信号成分に関連づけられた、仮想、すなわちＩｍ入力を有し、前記与えられる推定値に基づいて、前記挿入位相変動補償モジュールは、関数：（Ｃｏｓ（ｘ）×Ｒｅ）−（Ｓｉｎ（ｘ）×Ｉｍ）に従って調整される位相を有するＩ信号成分を出力するステップと
を具えたことを特徴とする方法。
【請求項４２】
増幅器および挿入位相変動補償モジュールを含む通信システムにおいて、前記増幅器が動作不能にされると通信信号に断続的に導入される位相オフセットの影響を打ち消す方法であって、
（ａ）前記増幅器が動作可能にされると、前記増幅器に増幅制御信号を提供するステップと、
（ｂ）前記増幅制御信号に応答して、前記増幅器を動作不能にし、そうすることによって、前記通信信号に位相オフセットを導入させるステップと、
（ｃ）前記挿入位相変動補償モジュールに、前記増幅制御信号の関数として前記位相オフセットの推定値を与えるステップと、
（ｄ）前記挿入位相変動補償モジュールが、前記与えられる推定値に基づいて、前記通信信号の前記位相を調整することであって、前記与えられる推定値は、位相オフセットｘのＳｉｎ関数およびＣｏｓ関数を含み、前記挿入位相変動補償モジュールは、デジタル同相（Ｉ）信号成分に関連づけられた実入力Ｒｅ、および直交（Ｑ）信号成分に関連づけられた仮想入力Ｉｍを有し、前記与えられる推定値に基づいて、前記挿入位相変動補償モジュールは、関数：（Ｓｉｎ（ｘ）×Ｒｅ）＋（Ｃｏｓ（ｘ）×Ｉｍ）に従って調整される位相を有するＱ信号成分を出力するステップと
を具えたことを特徴とする方法。
【請求項４３】
前記通信信号は、保護期間で分離される第１および第２のタイムスロットを含み、ステップ（ａ）〜（ｄ）の少なくとも１つが、前記第１のタイムスロット中のデータが前記増幅器によって受信され、処理された後の前記保護期間中に実行されることを特徴とする請求項４１記載の方法。
【請求項４４】
前記通信信号は、保護期間で分離される第１および第２のタイムスロットを含み、そうすることによって、前記増幅器が動作可能にされると、前記第１のタイムスロット中のデータが前記増幅器によって受信され、前記増幅器が動作不能にされると、前記第２のタイムスロット中のデータが、前記増幅器によって受信されることを特徴とする請求項４１記載の方法。